(57)【要約】【課題】複数の照明装置の配置位置と識別番号を容易に対応付けできる照明装置および照明システムを提供する。【解決手段】実施形態の照明装置１０は、外部電源の電力を充電可能な蓄電池１２を備えた本体１６と、本体１６に着脱可能であって、外部電源から電力が供給されていない状態で、本体１６へ装着された場合に蓄電池１２から供給された電力により自機の識別番号を発信する無線通信機１４とを具備する。【選択図】図３
2019061902.tif 000002
【特許請求の範囲】
【請求項１】
外部電源の電力を充電可能な蓄電池を備えた本体と；
前記本体に着脱可能であって、外部電源から電力が供給されていない状態で、前記本体へ装着された場合に前記蓄電池から供給された電力により自機の識別番号を発信する無線通信機と；
を具備していることを特徴とする照明装置。
【請求項２】
前記無線通信機は、前記本体へ装着された場合に自機の識別番号を一定時間発信し続け、前記一定時間経過後に発信を停止することを特徴とする請求項１に記載の照明装置。
【請求項３】
請求項１または請求項２に記載の照明装置と；
前記照明装置と通信が可能であり、前記照明装置から出力された前記識別番号を取得し、前記情報から前記照明装置の配置位置を設定する機能を有した端末と；
を具備していることを特徴とする照明システム。
【発明の詳細な説明】
【技術分野】
【０００１】
本発明の実施形態は、照明装置および照明システムに関する。
【背景技術】
【０００２】
従来、非常時に非常用電源を用いて点灯する非常用の照明装置や避難経路等への誘導のために点灯する誘導用の照明装置が提供されている。そして、近年、これらの照明装置の点検作業を容易化するために、照明装置に、外部装置と無線通信が可能である無線通信機を搭載した構成も提案されている。
【０００３】
一般に、たとえば建物内の天井面に設置された複数台の照明装置を制御する場合、各照明装置の固有のアドレス情報と、照明装置の配置位置の対応付けを行う必要がある。この対応付けは、従来施工時に作業者が１台ずつ行っており、複数台の照明装置毎に対応付けを行うのは、極めて煩雑であった。
【先行技術文献】
【特許文献】
【０００４】
【特許文献１】特開２００７−２１４１４６号公報
【発明の概要】
【発明が解決しようとする課題】
【０００５】
本発明が解決しようとする課題は、複数の照明装置の配置位置と識別番号を容易に対応付けできる照明装置および照明システムを提供することである。
【課題を解決するための手段】
【０００６】
実施形態の照明装置は、外部電源の電力を充電可能な蓄電池を備えた本体と、本体に着脱可能であって、外部電源から電力が供給されていない状態で、本体へ装着された場合に蓄電池から供給された電力により自機の識別番号を発信する無線通信機とを具備する。
【発明の効果】
【０００７】
本発明によれば、照明装置を施工時に作業者が無線通信機を取付けた際に蓄電池からの電力の供給により無線通信機が駆動し識別番号を送信することにより照明装置の配置位置と識別番号を容易に対応付けできるため、照明装置を配置時の位置設定作業の効率向上が期待できる。
【図面の簡単な説明】
【０００８】
【図１】実施形態の照明システムの構成を示す斜視図である。
【図２】同上照明装置を示す斜視図である。
【図３】同上照明装置の構成例を示すブロック図である。
【図４】同上端末に表示される照明装置の配置図を示す図である。
【図５】同上端末に表示される照明装置の配置図を示す図である。
【図６】同上端末に表示される照明装置の配置図を示す図である。
【図７】同上照明システムの動作を示すシーケンス図である。
【発明を実施するための形態】
【０００９】
以下、第１の実施形態を図面を参照して説明する。
【００１０】
図１は本実施の形態の照明システムの構成を示す。図１に示すように、照明システム１００は、オフィス内の照明空間１の天井面に設置された複数の照明装置１０（１０a〜１０i)と、照明装置１０と通信可能に接続される端末２０とから構成される。具体的には、照明装置１０は停電時などの非常時に点灯する非常灯であり、それぞれ天井面に所定の間隔で設置されている。
【００１１】
尚、本実施形態では、照明装置１０は、９台配置した場合について説明するが、これに限定されるものではなく、複数台（ｎ台（ｎは整数））配置されればよい。
【００１２】
端末２０は、スマートフォンやタブレット端末等の携帯端末であり、照明装置１０と無線通信が可能に構成されている。端末２０は、表示画面を有し照明装置１０の配置位置を表した配置図を端末画面に表示する機能を有する。
【００１３】
また、各照明装置１０a〜１０i間、および各照明装置１０a〜１０iと端末２０との間の通信方式は、たとえば、ＢＬＥ（Bluetooth（登録商標）Low  Energy）などのメッシュネットワークが可能な無線通信方式である。
【００１４】
図２および図３は、照明装置１０の構成を示している。この照明装置１０は、光源１１と、蓄電池１２と、制御部１３および記憶部１５と、接続端子１７と、無線通信機１４とを備え、これらは照明装置本体１６の内部に収納されている。また、本体１６の背面側には、外部電源１８と接続される端子台１９が設けられている。
【００１５】
光源１１は、たとえば発光ダイオード(ＬＥＤ)あるいはレーザダイオードなどの半導体発光素子、または、有機ＥＬ素子(ＯＬＥＤ)などで構成された発光モジュールが用いられ、白色光を出射するように構成されている。光源１１は、発光モジュールから放射された光の配光を制御する透明なガラス製または樹脂製のレンズを有する。
【００１６】
蓄電池１２は、本体１６の内部に着脱可能な電池であり、ニカド電池、ニッケル水素電池、あるいはリチウムイオン電池などの充電可能な二次電池である。蓄電池１２は、照明装置１０の製造時に充電された状態となっており、照明装置１０の施工時に照明装置１０に取付けられる。
【００１７】
外部電源１８は、商用交流電源、あるいは直流電源など、任意の電源とすることが可能である。本実施形態では、外部電源を商用交流電源としている。
【００１８】
端子台１９は、本体１６の背面側に設けられており、図示しない電線を介して外部電源１８と制御部１３とを電気的に接続するものである。
【００１９】
制御部１３は、外部電源１８および蓄電池１２と電気的に接続されており、外部電源１８および蓄電池１２からの電力を光源１１、無線通信機１４などに供給するものである。
【００２０】
制御部１３には、外部電源１８から供給された電力が端子台１９を介して供給される。制御部１３は、常用時には外部電源１８により蓄電池１２を充電し、非常時には蓄電池１２の電力を光源１１に供給するように制御する。
【００２１】
また、制御部１３は点検部（図示しない）と記憶部１５を備えており、点検部が点検した点検情報を記憶部１５に記憶し、点検情報を無線通信機１４から外部端末へ出力するように制御することができる。
【００２２】
点検部は、照明装置１０の下部に設けられた点検スイッチ（図示しない）を操作することにより点検を開始する機能を有する。
【００２３】
点検部は、蓄電池１２の電圧、電流、温度、放電時間及び放電回数を検知することにより蓄電池１２が正常に動作するか否かの点検を行い、これらの点検情報を記憶部１５に出力する。
【００２４】
記憶部１５は揮発性メモリおよび不揮発性メモリなどから構成される。記憶部１５は、点検部から入力される点検情報や照明装置１０の製造番号、製造年月日などの情報を記憶する。
【００２５】
接続端子１７は、無線通信機１４が取付けられる端子であり、無線通信機１４が取付けられた場合に、外部電源１８または蓄電池２１の電力を供給する。
【００２６】
無線通信機１４は、無線通信でデータを送受信するための通信機であり、たとえば、Ｂｌｕｅｔｏｏｔｈ（登録商標）接続をサポートする通信機である。ここでは、ＢＬＥ通信をサポートするものとする。無線通信機１４は、記憶部（図示しない）を有し自機を示す識別番号を記憶する。識別番号は自機を特定する情報であり、たとえば、ＭＡＣアドレスなどの固有アドレスである。この識別番号は製造時において無線通信機１４の記憶部に記憶されてもよい。
【００２７】
無線通信機１４は、本体１６に着脱可能である。無線通信機１４が本体１６に装着されると、具体的には、無線通信機１４が接続端子１７に取付けられると、無線通信機１４は蓄電池１２から供給された電力により駆動する。そして、自機が記憶している識別番号を無線信号として端末２０に発信する。このとき、無線通信機１４は一定時間識別信号を発信し続けてもよく、たとえば無線通信機１４を本体１６に取付けると、無線通信機１４は３０秒間識別信号を発信し続け、３０秒経過後に識別番号の発信を停止する。
【００２８】
端末２０は、図４に示すように自機の記憶部（図示しない）に照明装置１０の配置位置２１を記憶しており、この配置位置２１を表した配置図２２を端末の表示画面に表示する。ここでは、配置位置２１に１〜９の番号を付与している。端末２０の表示画面は、たとえば液晶モニタなどでありタッチパネルなどで構成されており、作業者が表示画面をタップすることで操作できる。配置図２２は、照明空間１の平面図と対応したレイアウト図である。照明装置１０が天井面に設置された直後は、配置図２２の照明装置１０の位置と識別番号が対応付けされていない。そのため、端末２０と照明装置１０を通信させることにより配置図２２へ識別番号を登録する必要がある。
【００２９】
具体的には、まず、図４に示すように作業者が配置図２２の配置位置２１をタップする。ここでは、作業者が１番の配置位置２１を選択したとする。次に、配置図２２の１番の配置位置２１に対応する照明装置１０aに無線通信機１４を取付けると無線通信１４から識別番号が発信される。端末２０は、無線通信機１４から発信される識別番号を受信すると、図５に示すように１番の配置位置２１に識別番号が登録される。この工程を繰り返すことにより図６に示すように照明装置１０a〜１０iの配置位置と識別番号を対応付けることができる。
【００３０】
このように、無線通信機１４を照明装置１０に取付けることにより、無線通信機１４の識別番号を照明装置１０の識別番号として端末２０に登録することができる。
【００３１】
次に、作業者が照明システム１００を用いて照明装置１０a〜１０iの識別番号と配置位置を対応付ける流れを図７を参照して説明する。ここで、照明装置１０a〜１０iが照明空間１の天井に設置された直後は予め充電された蓄電池１２が取付けられているが、無線通信機１４は取付けられておらず、外部電源から電力が供給されていない状態とする。また、端末２０の配置図２２と照明装置１０a〜１０iは対応付けされていない状態とする。
【００３２】
まず、作業者は、端末２０の配置図２２の配置位置２１をひとつ選択する（図４）（Ｓ１）。Ｓ１では、たとえば1番の配置位置２１を選択したとする。次に、作業者は、選択した１番の配置位置２１に対応する照明装置１０aに無線通信機１４を取付ける。無線通信機１４は、接続端子１７を介して蓄電池１２から電力が供給されるとともに、記憶部に記憶している自機の識別番号を端末２０へ３０秒間発信する（Ｓ２）。無線通信機１４から発信された識別番号を受信した端末２０は、識別番号を１番の配置位置２１に登録する。つまり、無線通信機１４の識別番号を照明装置１０aの識別番号として登録する（図５）（Ｓ３）。端末２０は、識別番号の登録が完了すると登録完了を示す信号（以降、登録完了信号と称する）を発信する（Ｓ４）。この登録完了信号を受信した無線通信機１４は識別番号の発信を停止する（Ｓ５）。同様に配置位置２１の２〜９番に対応する照明装置１０b〜１０iに、Ｓ１〜Ｓ５の作業を行うことで照明装置１０b〜１０iの識別番号を配置位置２１に登録する（図６）（Ｓ６）。全ての照明装置１０a〜１０iの識別番号の登録後に外部電源をオンすることにより、外部電源から電力が供給され照明装置１０a〜１０iに取付けられている蓄電池１２が充電される（Ｓ７）。
【００３３】
このように、無線通信機１４は蓄電池１２から供給された電力を用いて所定の時間内に識別番号を発信することにより、外部電源から電力が供給されていない施工時に無線通信機１４の識別番号と位置情報を対応付けることができる。これにより、施工作業と対応付け作業が同時に行うことができるため作業効率が向上する。また、無線通信機１４は本体１６に取付けられると識別信号を一定時間発信し続け、一定時間経過後に発信を停止するため、蓄電池１２が蓄えている電力を必要以上に使用することを抑えることができる。
【００３４】
また、登録完了信号を受信した無線通信機１４は、登録完了後に照明装置１０から抜き差しを行っても識別番号の発信を行わない機能を有してもよい。これにより、災害などにより外部電源１８からの電力の供給が遮断され蓄電池１２により駆動する場合に、無線通信機１４を取り付けても無線通信機１４は識別番号を発信しないため蓄、災害時に電池１２の電力消費を軽減することができる。1度登録完了後に、再度無線通信機１４の識別番号を発信した場合は、たとえば、点検スイッチを１０秒間長押しすることにより制御部１３から無線通信機１４に識別番号を送信する制御信号が送信されてもよいし、無線通信機１４を照明装置１０から取外し、作業者が点検スイッチを押しながら再度無線通信機１４を取り付けることにより無線通信機１４から識別番号が発信されてもよい。つまり、通常では実施しない操作をトリガーとして無線通信機１４は識別番号を発信する機能を有する。
【００３５】
本発明の実施形態を説明したが、この実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３６】
１０  照明装置
１１  光源
１２  蓄電池
１３  制御部
１４  無線通信機
１５  記憶部
１６  本体
１７  接続端子
１８  外部電源
【図１】
2019061902.tif 000003
【図２】
2019061902.tif 000004
【図３】
2019061902.tif 000005
【図４】
2019061902.tif 000006
【図５】
2019061902.tif 000007
【図６】
2019061902.tif 000008
【図７】
2019061902.tif 000009